【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
電気を用いて文字を刻印出来て線香の焼香穴を備え音声を出しながら線香を点火する点火装置。
【請求項２】
ピラミット形をした四角錐で太陽光発電装置のパネル形状。
【請求項３】
該グロウプラグの電熱で線香に点火をし、その時に該スイッチを介して連動をした時に該音声装置を作動させる仕組み。
【請求項４】
点火が容易な用に装置の挿入口の長さに適した長さ１５ｃｍと、矩形の形状に二箇所を束ねた線香。
【手続補正２】
【補正対象書類名】明細書
【補正対象項目名】全文
【補正方法】変更
【補正の内容】
【発明の詳細な説明】
【発明の名称】線香の点火と経文読み上げ装置。
【０００１】本装置は、電源を太陽光発電から蓄電池に蓄え、必要に応じて点火装置と該ＩＣレコーダー音声発生装置（以下ＩＣレコーダーと言う）に通電をして使用し、他に使用状況に応じて蓄電池以外の定格電気のアダプターを用いて使用する事も対応する。
【背景技術】
【０００２】  雨天時や風が強い時や、視力障害者や片腕等でも線香の点火が可能な装置【特許文献】グロウプラグに関する文献。ＮＧＫグロウプラグ適用表２００４から２００５  発行者  日本特殊陶業  ＩＣレコーダーの文献  ＩＣＤ−ＢＸ８０  ソニー株式会社  １０８−００７５  東京都港区港南１−７−１  ＤＣソレノイドカタログ  （株）ゴコウ  ０１０−１６５３  秋田県秋田市豊岩小山狐森３２５  太陽光発電  ＮＥＤＯ  ｈｔｔｐ：／／ｗｗｗ．ｎｅｄｏ．ｇｏ．ｊｐ／ｉｎｔｒｏｄｕｃｉｎｇ／ｉｎｄｅｘ．ｈｔｍｌ  電話番号０１２０−６４１−８３０
【発明の開示】
【０００３】本発明は、従来マッチで紙等に火を付けてから線香に点火をするか又はライター等の風除けを取り付けた物等で点火をしているが、風が強かったり雨の降る時、片腕や、視力障害者では点火が困難であった。
【０００４】本発明は蓄電池等に蓄えた電気を使い点火をした時に経文を読み上げる装置である。
【発明が解決しようとする課題】
【０００５】本発明は、線香を点火する時に該グロウプラグを焼香台の本体に組み込み外部に火災等が及ばない構成をし、線香の挿入口は予め定めた形状と装置のサイズの長さの結束をした線香を用いて行う。
【０００６】上記の点火動作の時に電気の通電は点火用のグロウプラグの燃焼部の反対側が水平になったときにグロウプラグとＩＣレコーダーに通電をする該リレイスイッチを適切な位置に配する。
【０００７】線香の断面形状は完全に効率良く点火が出来る様にグロウプラグの燃焼部分に密着するように矩形の形状とし、長さは挿入口から押し込みそうちの切り込み底部まで持ち上げた時に燃焼部が水平になる長さとし点火中に線香が折れたり、乱れたりしない様に適切な数をを上端部と下端部の２箇所を結束した物とする。
【０００８】本装置の電源は主として太陽光発電を用いるが、発電パネル本体の形状は、取り付け場所を考慮して、より効率の良い適切な底辺と適切な高さの四面体で形成したピラミッド形を用いて、支える設置場所に適した強度を要した支柱を備えた装置で、内部に蓄電器と、発電部内部の上端に傾斜をしたら通電ようのリレイを配して、定めた角度以上になると、警報音を発生する盗難防止の付いた装置とする。
【課題を解決するための手段】
【０００９】本発明の焼香台の適した側面に適切な形と適切な長さの挿入出来る切込み口と廃熱の出来る穴を設ける。
【００１０】線香を持ち上げると該スイッチを介して、電気で点火を出来る該グロウプラグを配し、電熱部が水平の位置に達した時にスイッチを介してグロウプラグとそれに連動をして作動する経文読み上げ装置のＩＣレコーダーに通電をして作動する。
【００１０】線香を持ち上げると該スイッチを介して、電気で点火を出来る該グロウプラグを配し、電熱部が水平の位置に達した時にスイッチを介してグロウプラグとそれに連動をして作動する経文読み上げ用の該ソレノイドスイッチにＩＣレコーダーを取り付け、適切な音声を収録してスイッチを作動させて常に外部から通電させておく電源を用いて音声を再生させるユニット装置のＩＣレコーダーに通電をして作動する。
【００１１】  本装置の電源は、本体装置に適した電圧の該太陽光発電を用い、発電本体の形状は適切な大きさのピラミッド形の四角錐をした形状とし、その内部の適切な位置に蓄電池と予め定めた傾斜に達すると該傾斜計を配して、盗難等の際に警報音の出る装置を配する。
【発明の効果】
【００１２】線香を点火する部分が装置の内側に配置をして有る為に雨天の時、風が強い時、片腕等の障害者や視力障害者等でも容易に点火が出来る。又、点火する部分を石材の内側に配してあるために、火災等やヤケド等の心配が無い。
【発明を実施するための最良の形態】
【００１３】図１の（１）が線香を点火した後に線香を供える穴と経文を刻印する場所と点火装置を備えた本体装置であり、（２）は内部に蓄電池を配して点火装置とＩＣレコーダーと警報装置の電源を供給する太陽光発電装置である。【００１４】図２は、（３）の線香の供える焼香穴を配し、線香の点火が済んだらＩＣレコーダーが通電スイッチで読み上げる経文等を刻印する場所（４）と線香の点火をする挿入口（５）を配した線香焼香台である。【００１５】図４は線香を挿入する切り口（５）から線香を挿入し、挿入部の底部（１５）一杯に上に持ち上げると中に配してあるグロウプラグの燃焼部（１６）に当たり燃焼部が水平になった時に、燃焼部の反対側（９）が通電スイッチを常時作動させて点火と同時に、太陽光発電側（２）に配してある、ＩＣレコーダーをを作動させる。【００１６】図８は本装置に用いる線香は図３の点火燃焼部（７）に効率良く接触する様にず８の通り先行の端を結束帯（２１）２の如くに束ねて、その断面は矩形状（２２）として長さは挿入口底部（１５）まで持ち上げた時燃焼部が水平になる長さとする燃焼が始まると図３の（８）の作動金具を軸として（９）の正の電極の端が（１１）のスイッチを作動させて、燃焼部の電線（９）と音声装置部の電線（１０）に蓄電池からの電線（１２）通電し別にグロウプラグには、作動金具部に蓄電池から負の電極（１３）を接続しておく【００１７】図５では、線香を挿入口底部（１５）まで持ち上げるとグロウプラグの燃焼部を持ち上げて通電スイッチを作動させる。その際に線香の長さを特定しておくのでその状態でいてもやがて線香が燃え尽きて燃焼部の重量の為、やがて燃焼部は下向きになり、通電スイッチの作動が停止してグロウプラグの異常燃焼を防ぎ装置の保護が望める。【００１８】更に図６の、電源を供給する太陽光発電パネル装置図６は太陽の光を効率良く受ける事が出来るピラミッド形をした形状（１８）としてその内部の適切な場所に蓄電池を配し、本体上部内側に本体を傾斜させたら警報音の発生するリレーを備えた装置（１９）を適切な位置に配する。
【実施例】
【産業上の利用可能性】
【００１９】墓参り等の際に、焼香台の穴に点火をした線香を入れて手を合わせ、お祈りをし、その時に宗旨の経文が音声装置から流れて、当人の精神上の安らぎや宗旨の普及などの効果が期待出来る。
【図面の簡単な説明】
【００２０】
【図１】本装置の全体図
【図２】線香の点火装置と焼香穴と文字の刻印の配置図
【図３】グロウプラグと通電スイッチと電極の取り付け配置図
【図４】線香の挿入口の側面図
【図５】線香の点火時の側面図
【図６】太陽光発電パネルの取り付け図と盗難防止警報装置の取り付け部位の側面図
【図７】線香の挿入口の正面図
【図８】線香の結束帯の部位と結束上面図
【図９】ＩＣレコーダーユニットの全体図
【図１０】ＩＣレコーダーの取り付け上面図
【符号の説明】
【００２１】１線香の焼香台本体  ２太陽光発電の本体  ３線香の焼香穴  ４文字の刻印部位  ５線香の挿入口  ６放熱穴  ７点火燃焼部位  ８作動金具の取り付け部  ９正の電極取り付け部  １０音声装置への電線  １１電源スイッチ  １２蓄電池からの正の電線  １３蓄電池からの負の電線  １４線香の挿入切り込み  １５線香挿入口の底部  １６燃焼部に線香が接触している状態  １７点火装置が水平になり電源スイッチが作動している状態  １８発電セルを取り付ける部位  １９盗難警報装置の取り付け部位  ２０線香の結束部位  ２１線香の結束状態とその断面  ２２がＩＣレコーダー  ２３レコーダーのスイッチ  ２４レコーダーの取り付けベッド  ２５スイッチのシャフト  ２６ソレノイドスイッチ本体  ２７ＩＣれこーだーの取り付け装置の上面図  ２８ＩＣレコーダーを止める金具  ２９金具を止める穴
【手続補正３】
【補正対象書類名】図面
【補正対象項目名】全図
【補正方法】変更
【補正の内容】
【図１】
2010119804.tif 000001
【図２】
2010119804.tif 000002
【図３】
2010119804.tif 000003
【図４】
2010119804.tif 000004
【図５】
2010119804.tif 000005
【図６】
2010119804.tif 000006
【図７】
2010119804.tif 000007
【図８】
2010119804.tif 000008
【図９】
2010119804.tif 000009
【図１０】
2010119804.tif 000010